(57)【要約】【課題】  配線コードの取り外れやコネクター端子の抜け出しなどの問題を解決し、さらに、配線基板とコネクター端子とは接続部品を必要としないで接続可能なコネクター端子を提供すること。【解決手段】    導電性材からなる端子片３８ａ、３８ｂを配線基板３２の板面に立設させるようにして、その端子片３８ａ、３８ｂの一端部を配線基板３２の導電パターンに半田付け４６すると共に、端子片３８ａ、３８ｂを半田付け４６した配線基板部分と配線基板３２から所定の長さの端子片部分とを一連に樹脂モールドして端子胴体部３４ａを形成し、さらに、前記端子胴体部３４ａの外周面に凸状部４２と抜け止め凹部４３とを形成したコネクター端子３４を設け、抜け止め凸部４５を設けてケース３１に形成した端子取付孔４４に上記コネクター端子３４を嵌着する構成としてある。【選択図】図６
2009224291.tif 000002
【特許請求の範囲】
【請求項１】
ケース内外を貫通する端子取付孔に嵌着し、ケース内に設けた配線基板に電気接続するコネクター端子において、
導電性材からなる細長形の端子片を配線基板の板面に立設させるようにして、その端子片の一端部を配線基板の導電部に通電可能に固着すると共に、
端子片を固着した配線基板部分と配線基板から所定の長さの端子片部分とを一連に樹脂モールドして端子胴体部を形成し、
さらに、前記端子胴体部の外面に凸状部又は凹状部を形成したことを特徴とするコネクター端子。
【請求項２】
ケース内外を貫通する端子取付孔に嵌着し、ケース内に設けた配線基板に電気接続するコネクター端子の取付構造において、
導電性材からなる細長形の端子片を配線基板の板面に立設させるようにして、その端子片の一端部を配線基板の導電部に通電可能に固着すると共に、
端子片を固着した配線基板部分と配線基板から所定の長さの端子片部分とを一連に樹脂モールドして端子胴体部を形成し、
この端子胴体部の外面に凸状部又は凹状部と共に抜け止め凹部を形成したコネクター端子を設け、
さらに、ケースの前記端子取付孔の内面には、前記コネクター端子の抜け止め凹部に係合させる抜け止め凸部を設けたことを特徴とするコネクター端子の取付構造。
【発明の詳細な説明】
【技術分野】
【０００１】
本発明は、街路灯などの電気機器に備えるコネクター端子と、そのコネクター端子の取付構造に関する。
【背景技術】
【０００２】
図７は従来から広く知られている街路灯の照明光源部１０を示す一部切り欠き正面図、図８は図７上のＡ−Ａ線に沿って切断した同照明光源部１０の断面図である。
この街路灯は、照明光源部１０を高所に設置して所定の配光パターンで道路を照明するものであり、照明光源部１０のケース１１内には、発光源であるＬＥＤ（発光ダイオード）１２を備える３つの発光部１３a、１３ｂ、１３ｃが設けられている。
【０００３】
発光部１３ａ、１３ｂ、１３ｃは同構成であり、具体的には、各発光部は、ケース１１の凹形内面１１ａに放熱板１４が固着され、この放熱板１４の上面にＬＥＤ１２を実装させた配線基板１５が固着されている。
そして、配線基板１５にはロックタイプのコネクター１６を配置し、このコネクター１６を介して配線基板１５の配線パターン（導電部）１５ａと給電用の配線コード１７とが接続されている。
また、各発光部に配線した配線コード１７は、外部の電源装置に接続するコネクター端子１８に接続されている。
【０００４】
その他、上記の照明光源部１０には、ＬＥＤ１２を覆うインナーレンズ１９と発光部１３ａ、１３ｂ、１３ｃを覆うカバーレンズ（アウターレンズ）２０とがケース１１に設けられ、また、ケース１１には多数のフイン１１ｂがケース長手方向に沿って設けられている。
【０００５】
【特許文献１】特願２００７−１５８２４２号公報
【発明の開示】
【発明が解決しようとする課題】
【０００６】
上記した街路灯の照明光源部１０は、コネクター端子１８を電源装置に接続することで、コネクター端子１８、配線コード１７、コネクター１６、配線パターン１５ａの経路によってＬＥＤ１２が給電されて発光する。
したがって、この照明光源部１０では、コネクター１６によって配線コード１７と配線基板１５の配線パターン１５ａを接続しなければならない。
このことから、コネクター１６を配線基板１５に設置する構成となるため、部品点数が増加する他、このコネクター１６の出力部を配線パターン１５ａに半田付けするなど、組み付け作業が多くなる。
【０００７】
また、組み立て中に配線コード１７に引っ張り力が加わると、半田付け部分が剥離し、配線コード１７が外れてしまうことがある他に、配線コード１７の引っ張り力がコネクター端子１８に加わり、コネクター端子１８がケース１１の取付孔から抜け出ることがある。
【０００８】
そこで本発明では、上記した実情にかんがみ、配線コードの取り外れやコネクター端子の抜け出しなどの問題を解決し、さらに、配線基板とコネクター端子とは接続部品を必要としないで接続可能なコネクター端子とその取付構造を提供することを目的とする。
【課題を解決するための手段】
【０００９】
上記した目的を達成するため、本発明は、ケース内外を貫通する端子取付孔に嵌着し、ケース内に設けた配線基板に電気接続するコネクター端子に関する。
【００１０】
そして、このコネクター端子は、導電性材からなる細長形の端子片を配線基板の板面に立設させるようにして、その端子片の一端部を配線基板の導電部に通電可能に固着すると共に、端子片を固着した配線基板部分と配線基板から所定の長さの端子片部分とを一連に樹脂モールドして端子胴体部を形成し、さらに、前記端子胴体部の外面に凸状部又は凹状部を形成した構成としてある。
【００１１】
また、本発明は、ケース内外を貫通する端子取付孔に嵌着し、ケース内に設けた配線基板に電気接続するコネクター端子の取付構造に関する。
【００１２】
そして、このコネクター端子の取付構造は、導電性材からなる細長形の端子片を配線基板の板面に立設させるようにして、その端子片の一端部を配線基板の導電部に通電可能に固着すると共に、端子片を固着した配線基板部分と配線基板から所定の長さの端子片部分とを一連に樹脂モールドして端子胴体部を形成し、この端子胴体部の外面に凸状部又は凹状部と共に抜け止め凹部を形成したコネクター端子を設け、さらに、ケースの前記端子取付孔の内面には、前記コネクター端子の抜け止め凹部に係合させる抜け止め凸部を設けた構成としてある。
【発明の効果】
【００１３】
本発明に係わるコネクター端子は、端子片を固着した配線基板部分と配線基板から所定の長さの端子片部分とを一連に樹脂モールドした端子胴体部によって、端子片の固着部が端子胴体部に埋設されている。
これより、コネクター端子が配線基板の導電部に直接、確実に接続され、また、端子片も安定したものとなるので、コネクター端子と配線基板とを接続するためのコネクターや配線コードなどが不要となる。
【００１４】
また、端子胴体部の外面には凸状部又は凹状部が形成してあるので、コネクター端子をケースの取付孔に挿入すれば、凸状部又は凹状部によって、取付孔内面と端子胴体部とが相対的に食い込み、接合し、コネクター端子の端子胴体部が取付孔内面に密着することから、防水、防塵などに優れる他、凹凸状部が抜け止めの役割を果たす。
【００１５】
さらに、本発明に係わるコネクター端子の取付構造は、上記同構成のコネクター端子の端子胴体部の外面に、凸状部又は凹状部と共に抜け止め凹部を設け、さらに、ケースの取付孔の内面には、前記の抜け止め凹部に係合して抜け止め凸部が設けてある。
【００１６】
したがって、コネクター端子を取付孔に挿入すれば、上記したコネクター端子の作用効果に加えて、抜け止め機能を一層高めることができる。
【発明を実施するための最良の形態】
【００１７】
次に、本発明の実施形態について図面に沿って説明する。
図１は、街路灯の照明光源部３０を示す一部切り欠き斜視図である。
図示する如く、この照明光源部３０は、樹脂材やゴムなどの弾性材で形成した矩形状のケース３１の凹形底面３１ａに配線基板３２を固着し、この配線基板３２にＬＥＤ３３が設けてある。
【００１８】
また、配線基板３２は、後述するように、その一端部側にコネクター端子３４を一体形成してあり、このコネクター端子３４がケース３１の取付孔に嵌着してある。
すなわち、上記のコネクター端子３４には、ケース外から電源装置を接続することによって、配線基板３２に直接電力を送り、この配線基板３２を介しＬＥＤ３３を給電する
【００１９】
なお、実際には、ＬＥＤ３３は配線基板３２の導電パターン（導電部）に電気接続してあり、また、配線基板３２はケース３１の凹形底面３１ａに形成して放熱用の肉厚底部３１ｂにネジ３５によって固着してある。
なお、配線基板３２はケースに設けた突起３６によって位置決めしてある。
さらに、ケース３１の上側には、カバーレンズ３７を設け、さらに、このケース３１の下側には、放熱用のフイン３１ｃが一体に設けてある。
【００２０】
図２、図３、図４は、上記したコネクター端子３４の詳細図である。
図２に示すように、このコネクター端子３４は、細長形の２本の端子片３８ａ、３８ｂを用意し、これら端子片３８ａ、３８ｂの一端部を配線基板３２に固着してある。
【００２１】
すなわち、配線基板３２の板面に対し端子片３８ａ、３８ｂを直角向きとしてそれらの一端部を貫通させ、これら端子片３８ａ、３８ｂの一端部を配線基板３２の導電パターン３９ａ、３９ｂに半田付け４６してある。
【００２２】
なお、端子片３８ａ、３８ｂは、導電材で形成した丸断面又は角断面の細長形の棒状のものである。
なた、本実施形態の配線基板３２は、フレキシブル配線基板としてある。
その他、図２に示す参照番号４０は取付孔、４１は位置決め孔である。
【００２３】
配線基板３２に端子片３８ａ、３８ｂを半田付け４６した後は、図３、図４に示した通り、樹脂モールド形成して端子胴体部を形成する。
この樹脂モールド形成は、端子片３８ａ、３８ｂを半田付け４６して固着した配線基板部分と、配線基板３２から所定の長さＬ０の端子片部分とを一連に施し、全体としてＬ１の長さの端子胴体部３４ａとして形成してある。
【００２４】
また、この樹脂モールド形成では、配線基板３２の板面に沿うようにして端子胴体部３４ａの外面に設けた数条の凸状部４２が設けてある。
なお、この数条の凸状部４２に換えて数条の凹状部としてもよい。
さらに、樹脂モールド形成では、端子の抜け止めを計るための抜け止め凹部４３が上記の凸状部４２と同様に配線基板の板面に沿う方向に形成してある。
【００２５】
その他、この端子胴体部３４ａは、抜け止め凹部４３より先端側に向かって下り勾配のテーパーを設けて若干細径とした先端部３４ｂとしてある。
また、上記した凸状部４２や抜け止め凹部４３は、配線基板３２の板面に平行となるように形成することが好ましが、板面に対し斜め向きの凸状部や凹部であっても同様の効果を得ることができる。
【００２６】
一方、照明光源部３０のケース３１には、図５に示す端子取付孔４４が設けてある。
この端子取付孔４４は、図１より分かるように、ケース３１の一方寄りの凹形底面３１ａに設けてあり、内面奥部にはリング状とした抜け止め凸部４５が形成してある。
なお、端子取付孔４４の孔径は、コネクター端子３４に設けた端子胴体部３４ａの横断面径に比べやや小さい孔径のものとしてある。
【００２７】
図６は、ケース３１に形成した端子取付孔４４に上記したコネクター端子３４を嵌着した状態を示している。
すなわち、コネクター端子３４をケース３１の内方向から端子取付孔４４に挿入し、端子取付孔４４の抜け止め凸部４５をコネクター端子３４の抜け止め凹部４３に嵌入させるように、コネクター端子３４を押し入れる。
なお、抜け止め凹部４３に抜け止め凸部４５が嵌入したことで、コネクター端子３４の嵌着状態での高さが決まる。
【００２８】
このようにコネクター端子３４を挿入すると、端子胴体部３４ａの凸状部４２によって、端子胴体部３４ａと端子取付孔４４の内面とが弾性的に、かつ、相対的に食い込み合うことから、コネクター端子３４が端子取付孔４４に密接する。
また、端子胴体部３４ａの抜け止め凹部４３に端子取付孔４４の抜け止め凸部４５が嵌入するため、コネクター端子３４が抜け止めされる。
【００２９】
コネクター端子３４を上記のように端子取付孔４４に嵌着させた後、配線基板３２をネジ止めし、ＬＥＤ３３をケース３１内に配設する。
したがって、配線コードや接続コネクターなどの部品を用いることなく、コネクター端子３４とＬＥＤ３３との電気接続が可能になる。
この結果、コネクター端子３４とＬＥＤ３３との間の配線部品を少なくすることができる他、コネクター端子３４が端子取付孔４４に密接に嵌着することから、防水、防塵に有利となる。
【００３０】
また、コネクター端子３４に設けた端子胴体部３４ａの凸状部４２によって、端子胴体部３４ａと端子取付孔４４の内面とが弾性的に、かつ、相対的に食い込み合うので、コネクター端子３４が端子取付孔４４に密接し、このことから、端子胴体部３４ａの凸状部４２によってもコネクター端子３４の抜け止めが可能になる。
したがって、このように実施する場合には、端子胴体部３４ａの抜け止め凹部４３や端子取付孔４４の抜け止め凸部４５は設けなくともよい。
【００３１】
また、配線基板３２の面上に突出する端子胴体部３４ａの高さ部分が少ないので、コネクター端子３４を嵌着した状態でのケース内高さを低くすることができ、カバーレンズ３７の設計に有利となる他、端子片３８ａ、３８ｂが樹脂モールド形成によって端子胴体部３４ａに埋設されることから、ケース外に突出した端子片３８ａ、３８ｂに引っ張り力が作用しても、配線基板３２との半田付け部分の応力が少なく、機械的に耐久性の高いコネクター端子となる。
さらに、ボトムタイプのコネクターを使用しなくても端子片である電線を直角に配線基板に接続することができる。
【００３２】
以上、街路灯などの照明器について実施した実施形態について説明したが、配線基板をケース内に備えるその他の電気機器についても同様に実施することがでる。
【産業上の利用可能性】
【００３３】
街路灯、庭園灯の他、一般照明、道路用照明、屋外照明、屋内照明などの照明器に適用することができる。
【図面の簡単な説明】
【００３４】
【図１】一実施形態として示した街路灯の照明光源部の一部切り欠き斜視図である。
【図２】上記照明光源部に備えるコネクター端子の端子片と配線基板との接続状態を示す斜視図である。
【図３】上記照明光源部に備えるコネクター端子の斜視図である。
【図４】上記コネクター端子の拡大断面図である。
【図５】上記照明光源部のケースに設けた端子取付孔部分を示す部分的な拡大断面図である。
【図６】端子取付孔にコネクター端子を嵌着した状態を示す拡大断面図である。
【図７】従来の街路灯の照明光源部を示す一部切り欠き正面図である。
【図８】図７におけるＡーＡ線に沿って切断した照明光源部の断面図である。
【符号の説明】
【００３５】
３０  照明光源部
３１  ケース
３２  配線基板
３３  ＬＥＤ
３４  コネクター端子
３４ａ  端子胴体部
３７  カバーレンズ
３８ａ、３８ｂ  端子片
３９ａ、３９ｂ  導電パターン
４２  凸状部
４３  抜け止め凹部
４４  端子取付孔
４５  抜け止め凸部
【図１】
2009224291.tif 000003
【図２】
2009224291.tif 000004
【図３】
2009224291.tif 000005
【図４】
2009224291.tif 000006
【図５】
2009224291.tif 000007
【図６】
2009224291.tif 000008
【図７】
2009224291.tif 000009
【図８】
2009224291.tif 000010